【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
内視鏡の外側部分上で摺動させられるように適合されるスリーブと、
前記スリーブに固着される後部バルーンと、
前記スリーブによって担持され、前記後部バルーンの内部に流体連通される膨張／収縮チューブと、
前記スリーブに摺動可能に設置される一対の中空プッシュチューブであって、それらの遠位端のところで高架式プッシュチューブブリッジにより互いに接続され、前記高架式プッシュチューブブリッジが内視鏡をその中で入れ子状にするように構成される、一対の中空プッシュチューブと、
前記一対の中空プッシュチューブの前記遠位端に固着される前方バルーンであって、前記前方バルーンの内部が前記一対の中空プッシュチューブの内部に流体連通され、前記前方バルーンが収縮状態および膨張状態をとることができ、さらに、（ｉ）前記前方バルーンがその収縮状態にある場合に軸方向開口部がそこを通って延在し、前記軸方向開口部が前記内視鏡を中で受けるようにサイズ決定され、（ｉｉ）前記前方バルーンがその膨張状態にある場合に前記軸方向開口部が閉じられる、前方バルーンとを備える装置。
【請求項２】
前記スリーブが、前記内視鏡の前記遠位端に隣接するポイントから前記内視鏡のハンドルに隣接するポイントまで、前記内視鏡を実質的に覆うようにサイズ決定される、請求項１に記載の装置。
【請求項３】
前記スリーブが前記内視鏡の前記外側部分と締まり嵌めを形成するように構成され、その結果、前記スリーブが前記内視鏡の上に設置されるときに前記内視鏡の上を容易に摺動するが、前記内視鏡の使用中には定位置に留まるようになる、請求項１に記載の装置。
【請求項４】
前記スリーブの近位端のところで前記スリーブに固着される基部をさらに備える、請求項１に記載の装置。
【請求項５】
前記膨張／収縮チューブが前記スリーブと一体に形成される、請求項１に記載の装置。
【請求項６】
前記スリーブが、前記一対の中空プッシュチューブを受けるための一対の通路を備える、請求項１に記載の装置。
【請求項７】
前記一対の通路が前記スリーブと一体に形成される、請求項６に記載の装置。
【請求項８】
前記一対の通路の各々が、中空プッシュチューブを受ける支持チューブを受ける、請求項６に記載の装置。
【請求項９】
前記スリーブが器械を受けるための管腔を備える、請求項１に記載の装置。
【請求項１０】
前記管腔が前記スリーブと一体に形成される、請求項９の記載の装置。
【請求項１１】
前記管腔が、器械を受ける器械誘導チューブを受ける、請求項１０に記載の装置。
【請求項１２】
前記内視鏡が操縦可能であり、さらに、前記後部バルーンが、前記操縦可能な内視鏡の連接部分の近位側において前記スリーブに固着される、請求項１に記載の装置。
【請求項１３】
前記後部バルーンが、近位側開口部および遠位側開口部を有するボディと、前記ボディから遠位側に延在する遠位側延長部分と、前記ボディから近位側に延在する近位側延長部分とを備え、さらに、前記後部バルーンが、前記遠位側延長部分を反転させて前記ボディの内部へと入れてさらには前記近位側延長部分の内部へと入れることにより、形成される、請求項１に記載の装置。
【請求項１４】
前記高架式プッシュチューブブリッジが非外傷性の構成を有する、請求項１に記載の装置。
【請求項１５】
前記スリーブの前記近位端のところで前記スリーブに固着される基部と、前記一対の中空プッシュチューブに対してそれらの近位端のところで固着されるプッシュチューブハンドルとをさらに備え、さらに、前記基部が、前記スリーブに対して前記一対の中空プッシュチューブを移動させるために前記プッシュチューブハンドルを使用するときに前記プッシュチューブハンドルを支持および誘導するように構成される、請求項１に記載の装置。
【請求項１６】
前記前方バルーンが、近位側開口部および遠位側開口部を有するボディと、一対のローブを備えるキー形状断面を有する近位側延長部分と、円形断面を有する遠位側延長部分とを備え、さらに、前記前方バルーンが、前記遠位側延長部分を反転させて前記ボディの内部へと入れてさらには前記近位側延長部分の内部へと入れることにより、形成される、請求項１に記載の装置。
【請求項１７】
前記遠位側延長部分が反転されて前記ボディの内部へと入れられる前に、前記一対の中空プッシュチューブが前記ローブ内に配置される、請求項１６に記載の装置。
【請求項１８】
前記スリーブ、前記後部バルーン、前記一対の中空プッシュチューブ、および前記前方バルーンのうちの少なくとも１つが、可視化可能であるマーカーを備える、請求項１に記載の装置。
【請求項１９】
前記前方バルーンおよび前記後部バルーンのうちの選択される一方を選択的に膨張／収縮させるための膨張機構をさらに備える、請求項１に記載の装置。
【手続補正２】
【補正対象書類名】明細書
【補正対象項目名】０１７８
【補正方法】変更
【補正の内容】
【０１７８】
修正
特定の例示の好適な実施形態に関連させて本発明を説明してきたが、本発明がこれらの特定の例示の好適な実施形態のみに限定されないこと、ならびに、本発明の範囲内に留まりながら、上で考察した好適な実施形態に対して多くの追加、排除および修正が行われてもよいこと、が当業者には容易に理解および認識されよう。
以上説明したように、本発明は以下の形態を有する。
［形態１］
内視鏡の外側部分上で摺動させられるように適合されるスリーブと、
前記スリーブに固着される後部バルーンと、
前記スリーブによって担持され、前記後部バルーンの内部に流体連通される膨張／収縮チューブと、
前記スリーブに摺動可能に設置される一対の中空プッシュチューブであって、それらの遠位端のところで高架式プッシュチューブブリッジにより互いに接続され、前記高架式プッシュチューブブリッジが内視鏡をその中で入れ子状にするように構成される、一対の中空プッシュチューブと、
前記一対の中空プッシュチューブの前記遠位端に固着される前方バルーンであって、前記前方バルーンの内部が前記一対の中空プッシュチューブの内部に流体連通され、前記前方バルーンが収縮状態および膨張状態をとることができ、さらに、（ｉ）前記前方バルーンがその収縮状態にある場合に軸方向開口部がそこを通って延在し、前記軸方向開口部が前記内視鏡を中で受けるようにサイズ決定され、（ｉｉ）前記前方バルーンがその膨張状態にある場合に前記軸方向開口部が閉じられる、前方バルーンとを備える装置。
［形態２］
前記スリーブが、前記内視鏡の前記遠位端に隣接するポイントから前記内視鏡のハンドルに隣接するポイントまで、前記内視鏡を実質的に覆うようにサイズ決定される、形態１に記載の装置。
［形態３］
前記スリーブが前記内視鏡の前記外側部分と締まり嵌めを形成するように構成され、その結果、前記スリーブが前記内視鏡の上に設置されるときに前記内視鏡の上を容易に摺動するが、前記内視鏡の使用中には定位置に留まるようになる、形態１に記載の装置。
［形態４］
前記スリーブの近位端のところで前記スリーブに固着される基部をさらに備える、形態１に記載の装置。
［形態５］
前記膨張／収縮チューブが前記スリーブと一体に形成される、形態１に記載の装置。
［形態６］
前記スリーブが、前記一対の中空プッシュチューブを受けるための一対の通路を備える、形態１に記載の装置。
［形態７］
前記一対の通路が前記スリーブと一体に形成される、形態６に記載の装置。
［形態８］
前記一対の通路の各々が、中空プッシュチューブを受ける支持チューブを受ける、形態６に記載の装置。
［形態９］
前記スリーブが器械を受けるための管腔を備える、形態１に記載の装置。
［形態１０］
前記管腔が前記スリーブと一体に形成される、形態９の記載の装置。
［形態１１］
前記管腔が、器械を受ける器械誘導チューブを受ける、形態１０に記載の装置。
［形態１２］
前記内視鏡が操縦可能であり、さらに、前記後部バルーンが、前記操縦可能な内視鏡の連接部分の近位側において前記スリーブに固着される、形態１に記載の装置。
［形態１３］
前記後部バルーンが、近位側開口部および遠位側開口部を有するボディと、前記ボディから遠位側に延在する遠位側延長部分と、前記ボディから近位側に延在する近位側延長部分とを備え、さらに、前記後部バルーンが、前記遠位側延長部分を反転させて前記ボディの内部へと入れてさらには前記近位側延長部分の内部へと入れることにより、形成される、形態１に記載の装置。
［形態１４］
前記高架式プッシュチューブブリッジが非外傷性の構成を有する、形態１に記載の装置。
［形態１５］
前記スリーブの前記近位端のところで前記スリーブに固着される基部と、前記一対の中空プッシュチューブに対してそれらの近位端のところで固着されるプッシュチューブハンドルとをさらに備え、さらに、前記基部が、前記スリーブに対して前記一対の中空プッシュチューブを移動させるために前記プッシュチューブハンドルを使用するときに前記プッシュチューブハンドルを支持および誘導するように構成される、形態１に記載の装置。
［形態１６］
前記前方バルーンが、近位側開口部および遠位側開口部を有するボディと、一対のローブを備えるキー形状断面を有する近位側延長部分と、円形断面を有する遠位側延長部分とを備え、さらに、前記前方バルーンが、前記遠位側延長部分を反転させて前記ボディの内部へと入れてさらには前記近位側延長部分の内部へと入れることにより、形成される、形態１に記載の装置。
［形態１７］
前記遠位側延長部分が反転されて前記ボディの内部へと入れられる前に、前記一対の中空プッシュチューブが前記ローブ内に配置される、形態１６に記載の装置。
［形態１８］
少なくとも１つの押出材挿入物が前記ローブに隣接するように配置される、形態１６に記載の装置。
［形態１９］
前記スリーブ、前記後部バルーン、前記一対の中空プッシュチューブ、および前記前方バルーンのうちの少なくとも１つが、可視化可能であるマーカーを備える、形態１に記載の装置。
［形態２０］
前記前方バルーンおよび前記後部バルーンのうちの選択される一方を選択的に膨張／収縮させるための膨張機構をさらに備える、形態１に記載の装置。
［形態２１］
身体管腔および／または体腔内で手技を実施するための方法であって、
装置を提供するステップであって、前記装置が、
内視鏡の外側部分上で摺動させられるように適合されるスリーブと、
前記スリーブに固着される後部バルーンと、
前記スリーブによって担持され、前記後部バルーンの内部に流体連通される膨張／収縮チューブと、
前記スリーブに摺動可能に設置される一対の中空プッシュチューブであって、それらの遠位端のところで高架式プッシュチューブブリッジにより互いに接続され、前記高架式プッシュチューブブリッジが内視鏡をその中で入れ子状にするように構成される、一対の中空プッシュチューブと、
前記一対の中空プッシュチューブの前記遠位端に固着される前方バルーンであって、前記前方バルーンの内部が前記一対の中空プッシュチューブの内部に流体連通され、前記前方バルーンが収縮状態および膨張状態をとることができ、さらに、（ｉ）前記前方バルーンがその収縮状態にある場合に軸方向開口部がそこを通って延在し、前記軸方向開口部が前記内視鏡を中で受けるようにサイズ決定され、（ｉｉ）前記前方バルーンがその膨張状態にある場合に前記軸方向開口部が閉じられる、前方バルーンと
を備える、ステップと、
前記身体管腔および／または体腔内で前記装置を位置決めするステップと、
前記後部バルーンを膨張させるステップと、
前記プッシュチューブを遠位側に前進させるステップと、
前記前方バルーンを膨張させるステップと、
前記手技を実施するステップとを含む方法。
［形態２２］
前記スリーブが、前記内視鏡の前記遠位端に隣接するポイントから前記内視鏡のハンドルに隣接するポイントまで、前記内視鏡を実質的に覆うようにサイズ決定される、形態２１に記載の方法。
［形態２３］
前記スリーブが前記内視鏡の前記外側部分と締まり嵌めを形成するように構成され、その結果、前記スリーブが前記内視鏡の上に設置されるときに前記内視鏡の上を容易に摺動するが、前記内視鏡の使用中には定位置に留まるようになる、形態２１に記載の方法。
［形態２４］
前記スリーブの近位端のところで前記スリーブに固着される基部をさらに備える、形態２１に記載の方法。
［形態２５］
前記膨張／収縮チューブが前記スリーブと一体に形成される、形態２１に記載の方法。
［形態２６］
前記スリーブが、前記一対の中空プッシュチューブを受けるための一対の通路を備える、形態２１に記載の方法。
［形態２７］
前記一対の通路が前記スリーブと一体に形成される、形態２６に記載の方法。
［形態２８］
前記一対の通路の各々が、中空プッシュチューブを受ける支持チューブを受ける、形態２６に記載の方法。
［形態２９］
前記スリーブが器械を受けるための管腔を備える、形態２１に記載の方法。
［形態３０］
前記管腔が前記スリーブと一体に形成される、形態２９の記載の方法。
［形態３１］
前記管腔が、器械を受ける器械誘導チューブを受ける、形態３０に記載の方法。
［形態３２］
前記内視鏡が操縦可能であり、さらに、前記後部バルーンが、前記操縦可能な内視鏡の連接部分の近位側において前記スリーブに固着される、形態２１に記載の方法。
［形態３３］
前記後部バルーンが、近位側開口部および遠位側開口部を有するボディと、前記ボディから遠位側に延在する遠位側延長部分と、前記ボディから近位側に延在する近位側延長部分とを備え、さらに、前記後部バルーンが、前記遠位側延長部分を反転させて前記ボディの内部へと入れてさらには前記近位側延長部分の内部へと入れることにより、形成される、形態２１に記載の方法。
［形態３４］
前記高架式プッシュチューブブリッジが非外傷性の構成を有する、形態２１に記載の方法。
［形態３５］
前記スリーブの前記近位端のところで前記スリーブに固着される基部と、前記一対の中空プッシュチューブに対してそれらの近位端のところで固着されるプッシュチューブハンドルとをさらに備え、さらに、前記基部が、前記スリーブに対して前記一対の中空プッシュチューブを移動させるために前記プッシュチューブハンドルを使用するときに前記プッシュチューブハンドルを支持および誘導するように構成される、形態２１に記載の方法。
［形態３６］
前記前方バルーンが、近位側開口部および遠位側開口部を有するボディと、一対のローブを備えるキー形状断面を有する近位側延長部分と、円形断面を有する遠位側延長部分とを備え、さらに、前記前方バルーンが、前記遠位側延長部分を反転させて前記ボディの内部へと入れてさらには前記近位側延長部分の内部へと入れることにより、形成される、形態２１に記載の方法。
［形態３７］
前記遠位側延長部分が反転されて前記ボディの内部へと入れられる前に、前記一対の中空プッシュチューブが前記ローブ内に配置される、形態３６に記載の方法。
［形態３８］
少なくとも１つの押出材挿入物が前記ローブに隣接するように配置される、形態３６に記載の方法。
［形態３９］
前記スリーブ、前記後部バルーン、前記一対の中空プッシュチューブ、および前記前方バルーンのうちの少なくとも１つが、可視化可能であるマーカーを備える、形態２１に記載の方法。
［形態４０］
前記前方バルーンおよび前記後部バルーンのうちの選択される一方を選択的に膨張／収縮させるための膨張機構をさらに備える、形態２１に記載の方法。